(57)【要約】【課題】  蓄光材を備え暗所下でも良好に測定できる上に量産性にも秀れた画期的な水準器を提供する。【解決手段】  測定面５に当接する基準面１ａを有する器体１に、気泡及び液体を封入した気泡管測定部２ａを有する気泡管式測定器２を嵌着した取付体６を取り付け、前記気泡管式測定器２の気泡管測定部２ａを器体１の外側から視認できるように構成し、この器体１の基準面１ａを測定面５に当接した際の前記気泡管式測定器２の気泡管測定部２ａの気泡位置により測定面５の垂直度若しくは水平度を測定し得るように構成した水準器であって、前記気泡管式測定器２は、気泡管測定部２ａが埋設配設されるように樹脂成形するとと共に、この気泡管式測定器２の気泡管測定部２ａの近接位置に、蓄光材３ａを基材に付設して構成した，若しくは蓄光材３ａで形成した挿入体３を挿入可能な挿入用中空部４を有する形状に樹脂成形した構成とし、この挿入用挿入用中空部４に前記挿入体３を挿入配設することで、前記蓄光材３ａを前記気泡管測定部２ａに沿設配設して構成した水準器。【選択図】      図１
2006337115.tif 000002
【特許請求の範囲】
【請求項１】
測定面に当接する基準面を有する器体に、気泡及び液体を封入した気泡管測定部を有する気泡管式測定器を嵌着した取付体を取り付け、前記気泡管式測定器の気泡管測定部を器体の外側から視認できるように構成し、この器体の基準面を測定面に当接した際の前記気泡管式測定器の気泡管測定部の気泡位置により測定面の垂直度若しくは水平度を測定し得るように構成した水準器であって、前記気泡管式測定器は、気泡管測定部が埋設配設されるように樹脂成形するとと共に、この気泡管式測定器の気泡管測定部の近接位置に、蓄光材を基材に付設して構成した，若しくは蓄光材で形成した挿入体を挿入可能な挿入用中空部を有する形状に樹脂成形した構成とし、この挿入用挿入用中空部に前記挿入体を挿入配設することで、前記蓄光材を前記気泡管測定部に沿設配設して構成したことを特徴とする水準器。
【請求項２】
前記気泡管式測定器を前記取付体に嵌着することで、この気泡管式測定器の挿入用中空部が閉塞状態となるように気泡管式測定器の挿入用中空部の形状を設定した構成としたことを特徴とする請求項１記載の水準器。
【請求項３】
前記気泡管式測定器は、前記気泡管測定部の長さ方向端側に挿入口部を有し、この挿入口部から前記挿入用中空部内に、前記気泡管測定部の長さ方向に沿って挿入体を挿入し得る形状に設定した構成としたことを特徴とする請求項１，２のいずれか１項に記載の水準器。
【請求項４】
前記気泡管式測定器の挿入用中空部は、前記器体の外側から気泡管式測定器の気泡管測定部を視認する際にこの気泡管式測定器の気泡管測定部の視認側と反対側となる位置に設け、この気泡管測定部の側部若しくは底部に前記蓄光材を沿設配設した構成としたことを特徴とする請求項１〜３のいずれか１項に記載の水準器。
【請求項５】
前記取付体は、前記気泡管式測定器を嵌着可能な嵌着凹部若しくは嵌着孔を樹脂成形により一体成形して構成したことを特徴とする請求項１〜４のいずれか１項に記載の水準器。
【発明の詳細な説明】
【技術分野】
【０００１】
本発明は、例えば、測定面の垂直度若しくは水平度を測定する水準器に関するものである。
【背景技術】
【０００２】
測定したい測定面に当接する基準面を設けた器体に、気泡と液体とを封入した気泡管測定部を有する気泡管式測定器を設け、この器体の基準面を測定面に当接した際の前記気泡管式測定器の気泡位置により前記測定面の垂直度若しくは水平度を測定し得るように構成した水準器は、例えば、垂直度を測定する場合には、測定したい測定面に当接する基準面を設けた長方状の器体の前記基準面を測定面としての壁などの立面に当てがい、この立面の方線方向となる水平方向に横設された前記気泡管式測定器の気泡位置を見ることにより測定面としての前記立面の垂直度を測定する構成である。
【０００３】
この種の水準器は、例えば、特開２００１−３４３２３６号公報に開示されているように、気泡管式測定器を取付体に嵌着し、この取付体を器体の挿入口部から器体内に挿入して取付固定することによって気泡管式測定器を器体に組み付ける構成である。
【０００４】
また、気泡管式測定器は気泡と液体とを封入した気泡管測定部が埋設された透明樹脂成形品としており、また、この気泡管式測定器を嵌着する取付体も樹脂成形品とし、この取付体に気泡管式測定器を嵌着するための嵌着凹部や嵌着孔も、取付体の樹脂成形時に一体成形によって取付体に設けたものである。
【０００５】
このように、この種の水準器は、樹脂成形した各部品を組み付けて簡単に製造でき、大量生産が可能な量産性に秀れたものである。
【０００６】
ところで、この種の水準器において、気泡管式測定器の気泡管測定部の近接位置に蓄光材を配設した構成が従来から提案されている。これは、蓄光体の発光によって気泡管式測定器の気泡管測定部を暗所下でも視認可能とし、夜間などの暗い場所での測定を可能としたものである。
【０００７】
【特許文献１】特開２００１−３４３２３６号公報
【発明の開示】
【発明が解決しようとする課題】
【０００８】
しかしながら、蓄光材を備えたタイプの水準器は、気泡管式測定器の気泡管測定部の近接位置に蓄光材を含有した塗料を塗設したり、蓄光性シールを貼設したりといった作業を手作業で行っている為、製造効率が非常に悪く、それだけ蓄光材を備えないタイプの水準器に比して、余計な製造時間や製造コストを要し、コストアップの問題や量産性を損ねる問題があった。
【０００９】
従って、従来の蓄光材を備えたタイプの水準器は、上記の蓄光材を備えないタイプの水準器に比して、夜間でも良好に測定できるという利点があるものの、生産性が著しく悪くコストアップや量産性を損ねる問題を有し、よって、従来においては上記蓄光材を備えないタイプの水準器が広く一般的に使用されているのが現状である。
【００１０】
本発明は、上記問題点を解決したもので、気泡管式測定器の気泡管測定部の近接位置に直接、手作業で蓄光材を含有した塗料を塗設したり蓄光性シールを貼設したりするのではなく、予め蓄光材で形成した，若しくは蓄光材を基材に付設して構成した挿入体を気泡管式測定器の挿入用中空部に挿入することでこの気泡管式測定器の気泡管測定部に前記蓄光材を沿設配設する構成としたから、厄介な作業を不要とし、単に挿入体を差込むだけの簡単な作業で効率的に、且つ、確実に蓄光材を気泡管式測定器の気泡管測定部の近接位置に設けることができ、暗所下でも測定可能な秀れた機能を有しながら、あくまでも従来の蓄光材を備えないタイプの水準器と同様に簡易製造可能で量産性に秀れた画期的な水準器を提供するものである。
【課題を解決するための手段】
【００１１】
添付図面を参照して本発明の要旨を説明する。
【００１２】
測定面５に当接する基準面１ａを有する器体１に、気泡及び液体を封入した気泡管測定部２ａを有する気泡管式測定器２を嵌着した取付体６を取り付け、前記気泡管式測定器２の気泡管測定部２ａを器体１の外側から視認できるように構成し、この器体１の基準面１ａを測定面５に当接した際の前記気泡管式測定器２の気泡管測定部２ａの気泡位置により測定面５の垂直度若しくは水平度を測定し得るように構成した水準器であって、前記気泡管式測定器２は、気泡管測定部２ａが埋設配設されるように樹脂成形するとと共に、この気泡管式測定器２の気泡管測定部２ａの近接位置に、蓄光材３ａを基材に付設して構成した，若しくは蓄光材３ａで形成した挿入体３を挿入可能な挿入用中空部４を有する形状に樹脂成形した構成とし、この挿入用挿入用中空部４に前記挿入体３を挿入配設することで、前記蓄光材３ａを前記気泡管測定部２ａに沿設配設して構成したことを特徴とする水準器に係るものである。
【００１３】
また、前記気泡管式測定器２を前記取付体６に嵌着することで、この気泡管式測定器２の挿入用中空部４が閉塞状態となるように気泡管式測定器２の挿入用中空部４の形状を設定した構成としたことを特徴とする請求項１記載の水準器に係るものである。
【００１４】
また、前記気泡管式測定器２は、前記気泡管測定部２ａの長さ方向端側に挿入口部４ａを有し、この挿入口部４ａから前記挿入用中空部４内に、前記気泡管測定部２ａの長さ方向に沿って挿入体３を挿入し得る形状に設定した構成としたことを特徴とする請求項１，２のいずれか１項に記載の水準器に係るものである。
【００１５】
また、前記気泡管式測定器２の挿入用中空部４は、前記器体１の外側から気泡管式測定器２の気泡管測定部２ａを視認する際にこの気泡管式測定器２の気泡管測定部２ａの視認側と反対側となる位置に設け、この気泡管測定部２ａの側部若しくは底部に前記蓄光材３ａを沿設配設した構成としたことを特徴とする請求項１〜３のいずれか１項に記載の水準器に係るものである。
【００１６】
また、前記取付体６は、前記気泡管式測定器２を嵌着可能な嵌着凹部６ａ若しくは嵌着孔６ａを樹脂成形により一体成形して構成したことを特徴とする請求項１〜４のいずれか１項に記載の水準器に係るものである。
【発明の効果】
【００１７】
本発明は上述のように構成したから、器体に設けた気泡管式測定器の気泡管測定部の気泡位置によって測定面の垂直度の測定を行えることは勿論、前記気泡管式測定器の気泡管測定部に沿設配設した蓄光材により、夜間などの暗い場所でも良好に測定可能となる。
【００１８】
また、この蓄光材を気泡管測定部に沿設配設する作業は、例えば従来例のような手作業の厄介な作業で行う必要がなく、単に気泡管式測定器に形成された挿入用中空部に挿入体を設けるだけで達成でき、また、気泡管式測定器は樹脂成形の為、大量生産を容易に達成し得、更に、気泡管式測定器に穴あけ加工や切欠加工などを施して前記挿入用中空部を形成するのではなく、前記挿入用中空部を有する形状に気泡管式測定器を樹脂成形すればよいので、気泡管式測定器の成形と挿入用中空部の成形とを効率的に行え、簡易生産可能にして量産性に秀れる。
【００１９】
よって、本発明は、蓄光材を設けたことにより夜間などの暗い所でも良好に測定可能としただけでなく、従来例のように、蓄光材を設けるためにコストアップや量産性を損ねてしまうといった問題が生じることがなく、あくまでも従来例の蓄光材を設けない水準器と同様に簡易生産が可能で大量生産を容易に達成し得る量産性に秀れた構成となるなど、極めて実用性に秀れた画期的な水準器となる。
【００２０】
また、請求項２記載の発明においては、気泡管式測定器の挿入用中空部内に挿入体を挿入配設して、この気泡管式測定器を取付体に嵌着するだけの作業で、挿入体を挿入用中空部内に閉塞状態に配設できることとなるから、一層簡易構成にして組み付け作業性も向上し、量産性に一層秀れる。
【００２１】
また、請求項３記載の発明においては、気泡管式測定器の挿入用中空部内に、挿入口部から良好に挿入体を挿入することができるだけでなく、この挿入用中空部内に挿入配設した挿入体を、単に前記気泡管式測定器を取付体に嵌着するだけでこの挿入用中空部内に閉塞状態に配設できるように設計することも簡易に達成し得、一層簡易製造可能にして量産性に秀れる。
【００２２】
また、請求項４記載の発明においては、蓄光材を設けたことによって暗い場所でも測定が可能な秀れた機能を有する上にこの蓄光材を設ける為に挿入配設した前記挿入体が測定時、即ち、気泡管式測定器の気泡管測定部を視認する際の妨げ（邪魔）となることがなく、一層良好に測定可能にして実用性に秀れる。
【００２３】
また、請求項５記載の発明においては、取付体も樹脂成形することで一層大量生産が可能となり、更に、この取付体を樹脂成形するが故に、この取付体に前記気泡管式測定器を嵌着するための嵌着凹部若しくは嵌着孔も取付体と一体成形により設けることができるなど、一層簡易に生産でき大量生産も可能で量産性に秀れた水準器となる。
【発明を実施するための最良の形態】
【００２４】
好適と考える本発明の実施形態（発明をどのように実施するか）を、図面に基づいて本発明の作用を示して簡単に説明する。
【００２５】
本発明は、器体１に、気泡及び液体を封入した気泡管測定部２ａを有する気泡管式測定器２を嵌着した取付体６が取り付けられると共に、前記気泡管式測定器２の気泡管測定部２ａを器体１の外側から視認できるように構成しており、この器体１を測定面５としての壁などの立面に当接した際の前記気泡管測定部２ａの気泡位置を視認して前記測定面５の垂直度若しくは水平度を測定することができる。
【００２６】
また、この気泡管測定部２ａの近接位置には、蓄光材３ａが沿設配設されているため、例えば夜間などの暗所下においても前記蓄光材３ａの発光により前記気泡管測定部２ａを視認することができ、よって、夜間などの暗い場所でも測定が可能となる。
【００２７】
また、本発明においては、前記蓄光材３ａを前記気泡管測定部２ａの近接位置に沿設配設する際に、例えば従来例のように前記気泡管測定部２ａの近接位置（側部など）に蓄光材３ａを含有した塗料を塗ったり、蓄光性のシールを貼ったりして行うのではなく、本発明では、気泡管式測定器２の前記気泡管測定部２ａの近接位置に形成された挿入用中空部４に、予め蓄光材３ａで形成した，若しくは予め蓄光材３ａを基材に付設して形成した挿入体構成した挿入体３を挿入することで蓄光材３ａを気泡管測定部２ａに沿設配設する構成である。
【００２８】
即ち、この気泡管測定部２ａの近接位置に手作業で正確に塗料を塗ったりシールを張り付けたりする厄介な作業は一切不要で、本発明においては、単に前記挿入体３を気泡管式測定器２に形成した挿入用中空部４に挿入するだけの簡単な作業で蓄光材３ａを気泡管測定部２ａに沿設配設する作業を達成できることとなる。更に、この挿入用中空部４は気泡管測定部２ａの近接位置に形成されている為、この挿入用中空部４に挿入体３を挿入配設するだけで、必然的に、前記蓄光材３ａが気泡管測定部２ａに近接状態に沿設配設され、上記夜間でも測定可能な秀れた機能が確実に発揮されることとなる。
【００２９】
また、気泡管式測定器２は、前記気泡管測定部２ａが埋設配設されるように樹脂成形によって形成した構成である為、この気泡管式測定器２の気泡管測定部２ａの近接位置に穴あけ加工や切欠加工などにより前記挿入用中空部４を形成する加工作業を必須とせず、単に、気泡管式測定器２を樹脂成形した際に丁度気泡管測定部２ａの近接位置が中空となるように気泡管式測定器２の形状を設定して樹脂成形することで簡単に前記挿入用中空部４を気泡管式測定器２に設けることができ、気泡管式測定器２の形成と、挿入用中空部４の形成とを別工程で行う必要無く効率的に製造できることとなる。
【００３０】
従って、本発明は、蓄光材３ａを設けたことで夜間などの暗所下でも良好な測定を可能としただけでなく、この蓄光材３ａを設けるために著しくコストアップしたり量産性を損ねるといった問題が生ずることがなく、あくまでも従来の蓄光材３ａを設けない水準器と同様な簡易生産可能でコスト安にして量産性に秀れた構成により達成できる画期的で実用性に秀れた水準器となる。
【００３１】
また、例えば、前記気泡管式測定器２を前記取付体６に嵌着することで、この気泡管式測定器２の挿入用中空部４が閉塞状態となるように気泡管式測定器２の挿入用中空部４の形状を設定した構成とした場合には、気泡管式測定器２の挿入用中空部４内に挿入配設した挿入体３を、この挿入用中空部４内から抜け出ないように係止固定したり接着固定したりする必要が一切無く、単に気泡管式測定器２の挿入用中空部４に挿入体３を挿入し、この気泡管式測定器２を取付体６に嵌着し、この取付体６を器体１に取り付ける簡単な組み込み作業で極めて効率的に製造可能な構成とすることができ、大量生産が容易に達成し得る極めて量産性に秀れた構成となる。
【００３２】
また、例えば、前記気泡管式測定器２は、前記気泡管測定部２ａの長さ方向端側に挿入口部４ａを有し、この挿入口部４ａから前記挿入用中空部４内に、前記気泡管測定部２ａの長さ方向に沿って挿入体３を挿入し得る形状に設定した構成とした場合には、前記挿入口部４ａから挿入用中空部４内に良好に挿入体３を挿入し得る構成となるだけでなく、気泡管測定部２ａの長さ方向端側に挿入口部４ａの位置を設定している為、前記気泡管式測定器２を取付体６に嵌着した際に、この気泡管式測定器２の端側に設けた挿入口部４ａが前記取付体６の内面に閉塞されるように設計して、前記挿入用中空部４を前記気泡管式測定器２を取付体６に嵌着することで閉塞状態とする構成を簡易に達成し得ることとなり、作業性に秀れた構成を一層簡易に達成し得る量産性に秀れた構成となる。
【００３３】
また、例えば、前記気泡管式測定器２の挿入用中空部４は、前記器体１の外側から気泡管式測定器２の気泡管測定部２ａを視認する際にこの気泡管式測定器２の気泡管測定部２ａの視認側と反対側となる位置に設け、この気泡管測定部２ａの側部若しくは底部に前記蓄光材３ａを沿設配設した構成とした場合には、前記気泡管測定部２ａを視認する際に、挿入用中空部４内に挿入配設した挿入体３が妨げとなる心配がなく、良好な測定が行えることとなる。
【００３４】
また、例えば、前記取付体６は、前記気泡管式測定器２を嵌着可能な嵌着凹部６ａ若しくは嵌着孔６ａを樹脂成形により一体成形して構成した場合には、取付体６も気泡管式測定器２と同様に樹脂成形品とすることで一層大量生産を容易に可能とし、更に、この取付体６の樹脂成形時に嵌着凹部６ａ若しくは嵌着孔６ａを一体成形により設けている為、樹脂成形後の取付対６に、前記気泡管式測定器２を嵌着する為の構成を別段設ける必要なく、一層効率的に生産が可能で量産化に秀れた構成となる。
【実施例】
【００３５】
本発明の具体的な実施例について図面に基づいて説明する。
【００３６】
本実施例は、図１に図示したように、測定面５に当接する基準面１ａを有する器体１に、気泡及び液体を封入した気泡管測定部２ａを有する気泡管式測定器２を嵌着した取付体６を取り付け、前記気泡管式測定器２の気泡管測定部２ａを器体１の外側から視認できるように構成し、この器体１の基準面１ａを測定面５としての立面に当接した際の前記気泡管式測定器２の気泡管測定部２ａの気泡位置により測定面５の垂直度及び水平度を測定し得るように構成した水準器であって、前記気泡管式測定器２は、気泡管測定部２ａが埋設配設されるように樹脂成形するとと共に、この気泡管式測定器２の気泡管測定部２ａの近接位置に、蓄光材３ａを基材に付設して構成した，若しくは蓄光材３ａで形成した挿入体３を挿入可能な挿入用中空部４を有する形状に樹脂成形した構成とし、この挿入用中空部４に前記挿入体３を挿入配設することで、前記蓄光材３ａを前記気泡管測定部２ａに沿設配設して構成したものである。
【００３７】
気泡管式測定器２は、図２に図示したように、気泡管測定部２ａを埋設配設すると共にこの気泡管測定部２ａ内の気泡位置が視認できるように透明樹脂で成形した、側面視円形の構成としている。
【００３８】
また、この気泡管式測定器２の挿入用中空部４は、前記器体１の外側から気泡管式測定器２の気泡管式測定部２ａを視認する際にこの気泡管式測定器２の反対側となる位置に設け、この気泡管測定部２ａの側部若しくは底部に前記蓄光材３ａを沿設配設するように構成している。具体的には、図２に図示したように、この気泡管式測定器２の気泡管測定部２ａの底部位置に挿入用中空部４の位置を設定し、また、気泡管測定部２ａの長さ方向一端側に前記挿入用中空部４の挿入口部４ａを有する形状に形成し、この挿入口部４ａから挿入用中空部４内に、前記挿入対３を前記気泡管測定部２ａの長さ方向に沿って挿入するように構成している。
【００３９】
従って、挿入口部４ａから挿入用中空部４内に前記挿入体３を良好に挿入できることは勿論、この挿入体３を挿入用中空部４内に配設した際においても、前記気泡管測定部２ａを視認する際にこの挿入体３が妨げとなることは無い。
【００４０】
尚、この気泡管式測定器２は、例えば、前記気泡管測定部２ａが埋設配設されるようにこの気泡管式測定器２を成形する際に、前記挿入用中空部４を一体成形によって設けた構成としても良いし、また、例えば、透明樹脂成形した２体若しくは更に複数の分割部材を連結して形成した構成としても良い。
【００４１】
つまり、気泡管式測定器２を形成した後に、穴あけ加工や切欠加工によってこの気泡管式測定器２に挿入用中空部４を形成するのではなく、予め、この気泡管式測定器２自体を、前記挿入用中空部４を有する形状に形成しすることでこの挿入用中空部４を設けた構成とすれば良い。
【００４２】
従って、気泡管式測定器２を成形する工程と挿入用中空部４を形成する工程とを別個に行う必要がなく、それだけ簡易生産が可能である。
【００４３】
また、この気泡管式測定器２の端面（図２中、左側端部）に、後述の取付体６の基準面８と対向状態に重合させることでこの取付体６に対する気泡管式測定器２の取り付け角度を固定する基準面７を形成している。また、基準面７の近接位置には、後述の取付体６の係止突部10（図４参照）と当接状態に係合係止する係止爪９（図３参照）を形成している。尚、この基準面７及び係止爪９は前記気泡管式測定器２を形成した後に切欠加工などにより設けたものではなく、気泡管式測定器２の成形時に一体成形により設けたものである。
【００４４】
この気泡管式測定器２の挿入用中空部４は気泡管測定部２ａ側内面を平坦状に形成している。
【００４５】
この気泡管式測定器２の挿入用中空部４に挿入する挿入体３は、少なくとも気泡管測定部２ａ側表面に蓄光材３ａを付設（例えば、コーティングやシール）した、若しくは、少なくとも気泡管式測定部２ａ側表面を蓄光材３ａ自体で形成した蓄光材形成部11を有する構成としている。
【００４６】
従って、少なくともこの気泡管式測定部２ａに対して沿設配設される蓄光材形成部11の発光により前記気泡管測定部２ａを良好に照らすことが可能である。
【００４７】
また、この蓄光材形成部11は、自身の発光により前記気泡管測定部２ａをより均一的に照らせるように、平坦状に形成している。
【００４８】
従って、挿入体３の前記蓄光材形成部11により前記気泡管測定部２ａを均一的に照らすことができ、また、挿入用中空部４の気泡管測定部２ａ側内面も平坦状に形成している為、この挿入体３の蓄光材形成部11全面をより前記気泡管測定部２ａに近接状態に配設し得る。
【００４９】
また、この挿入体３は、少なくとも平坦状の前記蓄光材形成部11を有する形状とすれば良いが、量産性の面から、より挿入口部４ａから挿入用中空部４内に挿入し易い形状とするために、例えば四角形円柱状や、四角形円筒状などの無垢な形状ではなく、平坦状の前記蓄光材形成部11に、この蓄光材形成部11を支持する平坦状の支持板部12を一体若しくは複数体垂設した形状（例えば、下駄状やＴ字状，コ字状など）している。特に、本実施例においては、量産の面から、図２に図示したように、蓄光材形成部11に支持板部12を一体垂設したＴ字状に形成している。更に、この挿入体３自体を、蓄光材３ａを含有した樹脂によりＴ字状に成形した（即ち、平坦状の蓄光材形成部11と支持板部12とを一体成形した）樹脂成形品とし、更に量産性を良好とした構成である。
【００５０】
従って、シンプルな形状（Ｔ字状）の樹脂成形品としたことで生産が容易で効率的に量産可能な構成で、しかも、図２に図示したように、支持板部12に支持されて蓄光材形成部11が確実に挿入用中空部４の気泡管測定部２ａ側内面（即ち、気泡管測定部２ａの底部）に当接状態に沿設配設されるため、簡易生産可能にして気泡管測定部２ａを良好に照らせる機能性にも秀れた構成である。
【００５１】
また、この蓄光材３ａで形成した挿入体３の蓄光材形成部11の形状を、一端側に向けて僅かに拡幅したテーパ形状に形成し、この挿入体３を前記挿入用中空部４内に挿入する際にこの挿入体３の拡幅した一端側が前記挿入用中空部４に圧接係止されるように構成しているため、挿入体３を挿入用中空部４内に挿入配設した際に、この挿入体３がガタついたり、挿入用中空部４内から抜け出ることを抑止する効果が得られる。
【００５２】
取付体６は樹脂成形品とし、図３に図示したように、前記気泡管式測定器２を嵌着可能な嵌着凹部６ａ若しくは嵌着孔６ａを樹脂成形により一体成形して設けた構成である。尚、本実施例においては、図３に図示したように、前記気泡管式測定器２を側面側から嵌着する嵌着孔６ａを形成した構成である。
【００５３】
従って、取付体６も前記気泡管式測定器２と同様、樹脂成形品とした為、簡易に製造でき量産性に秀れるものである。
【００５４】
また、この取付体６の嵌着孔６ａの内面には、前記気泡管式測定器２の基準面７と対向状態に重合する基準面８を形成しており、且つ、この基準面８の開口部側には前記気泡管式測定器２の係止爪９が係止する係止突部10を有する形状としている。具体的には、気泡管式測定器２の基準面７と取付体６の嵌着孔６ａの内面の基準面８とが対向状態に重合するように気泡管式測定器２の嵌着することで、この取付体６の高さ方向に対して気泡管式測定器２の気泡管測定部２の長さ方向が直交方向となるように構成している。
【００５５】
また、この取付体６に気泡管式測定器２を嵌着することで、気泡管式測定器２の挿入用中空部４の挿入口部４ａが閉塞されるように構成している。具体的には、図１に図示したように、気泡管式測定器２を取付体６の嵌着孔６ａに嵌着した際に、挿入用中空部４の挿入口部４ａに対して嵌着孔６ａの内面が対向状態となる為に、この挿入口部４ａが閉塞される構成である。
【００５６】
従って、前記挿入用中空部４内に挿入配設した挿入体３は、単に気泡管式測定器２を取付体６に嵌着するだけでこの挿入用中空部４から抜け出ることが阻止され閉塞状態に配設される。
【００５７】
この取付体６は、図３及び図４に図示したように、器体１の上端の端部開口部１ｂから器体１内に挿入して取り付け固定する。この際、図１に図示したように、器体１の側面に設けた窓孔13から、取付体６に嵌着した気泡管式測定器２の気泡管式測定器２の側面側を視認し得るように構成している。
【００５８】
また、この取付体６には、器体１の側面の窓孔13からだけでなく、器体１の正面側（図５中、右側）に設けた正面側窓孔14からも視認できるように、この取付体６の嵌着孔６ａの上部から前記器体１の正面側窓孔14へ連通する導光路６ｂを取付体６内に有する形状に構成している。更に、この取付体６の導光路６ｂは、途中位置に傾斜面部15ａを有する形状とし、この傾斜面部15ａの傾斜に沿って反射鏡15を貼設した構成としている。
【００５９】
従って、器体１の側面の窓孔13から気泡管式測定器２を視認できるだけでなく、図５に図示したように、気泡管式測定器２の気泡管測定部２ａが前記反射鏡に反射され、図６に図示したように器体１の正面側窓孔14から気泡管測定部２ａを視認し測定できる構成である。
【００６０】
また、この取付体６の上端及び下端には、この取付体６を器体１の端部開口部１ｂから挿入した際に器体１の内面と弾圧当接する弾圧当接部16を各個に形成している。更に、この取付体６の下端側には、器体１の取付ネジ挿通孔17より挿通した取付ネジ18が螺着する螺合部19を形成している。
【００６１】
従って、この取付体６を器体１に挿入（圧入）し、この取付体６の螺合部19と器体１の取付ネジ挿通孔17とが連通するように器体１内の取付体６の位置を合わせ、取付ネジ18を取付ネジ挿通孔17を挿通して前記螺合部19に螺着し、この取付ネジ18の締付度合いを可変調整することによって前記取付体６の弾圧当接部16を撓ませこの取付体６と器体１との角度を微調整することにより、前記気泡管式測定器２の気泡管測定部２ａの気泡位置を微調整（器体１の基準面１ａに対して気泡管測定部２ａが垂直となるように調整）するものである。
【００６２】
尚、この取付体６の形状は本実施例のものに限られるものではなく、本実施例と同様の機能を発揮し得る形状とすれば良い。
【００６３】
尚、図中符号20は天部材20であり、図３に図示したように、器体１の上端の端部開口部１ｂから取付体６を挿入した後、この端部開口部１ｂを閉塞するものである。また、図中符号21は、器体１に設けた取っ手部21であり、符号22は、器体１に設けた前記気泡管式測定器２の気泡管測定部２ａと直交方向（即ち、器体１の基準面１ａに対して平行方向）に器体１に埋設した水平度測定用気泡管測定部22であり、この水平度測定用気泡管式測定部22によって、水平度を測定することもできる。
【００６４】
本実施例は、上述のように構成したから、器体１の規準面１ａを測定したい測定面５（例えば、壁などの立面）に当接し、この器体１の側面の窓孔13から気泡管式測定器２を視認して気泡管測定部２ａの気泡位置により前記測定面５の垂直度を測定することができる。
【００６５】
また、器体１の正面側窓孔14から、取付体６の導光路６ｂ内の反射鏡15に反射した気泡管式測定器２を視認できるため、器体１の側面を除き込むようにしなくとも、器体１の正面側から気泡位置を見て測定することができる。
【００６６】
また、この気泡管式測定器２の挿入用中空部４内には蓄光材３ａで形成したＴ字形の挿入体３が挿入されこの挿入体３の蓄光材形成部11が気泡管測定部２ａの裏面側に沿設配設される、即ち、気泡管測定部２ａに蓄光材３ａが沿設配設されることとなるから、夜間などの暗い場所でも蓄光材３ａの発光により気泡管測定部２ａを視認し測定が行える。また、この蓄光材３ａは気泡管測定部２ａの裏面側（底面側）に沿設配設されている為、器体１の側面側の窓孔13から気泡管測定部２ａを視認する場合においても、器体１の正面側窓孔14から前記反射鏡15に反射された気泡管測定部２ａを視認する場合においても、挿入体３が邪魔にならない位置に配されており、且つ、蓄光材３ａによる発光機能がどちら側の窓孔13，14から見る場合においても良好に発揮される位置に挿入体３が配設されることとなる。
【００６７】
また、このように夜間などの暗闇でも測定可能とする秀れた発光機能を有する蓄光材３ａを気泡管測定部２ａに沿設配設する作業は、気泡管測定部２ａの裏面側という狭くて作業しずらい箇所に手作業によって蓄光材３ａを含有する塗料を塗ったり蓄光性シールを張ったりといった厄介で非効率的な作業を要さずに単に気泡管式測定器２に形成された挿入用中空部４内に挿入体３を挿入するだけの極めて簡単な作業で達成できることとなる為、作業効率に秀れ量産性に秀れることとなる。
【００６８】
また、この挿入用中空部４は、気泡管式測定器２を前記挿入用中空部４を有する形状に樹脂成形することによって気泡管式測定器２に設ける構成としたので、挿入用中空部４を形成するために別段気泡管式測定器２に穴あけ加工や切欠加工を施したりする必要がなく、よって、挿入用中空部４を形成するために生産工程が増えたり生産時間を無駄にようしたりせず量産性に秀れることとなる。
【００６９】
また、気泡管式測定器２だけでなく挿入体３も簡単に成形できるシンプルなＴ字形としたので、挿入体３も簡易に生産できこの点においても量産性に秀れることとなる。更に、挿入体３の支持板部12で天板部11を支え、蓄光材形成部11を確実に挿入用中空部４の上面側、即ち気泡管測定部２ａの裏面側（気泡管測定部２ａを良好に照らせる位置）に張設状態に沿設配設させることができることとなる。
【００７０】
また、取付体６も樹脂成形品としたので、この取付体６の成形時に嵌着孔６ａや弾圧当接部16や螺合部19などを一体成形してこの取付体６も簡易に生産できこの点においても量産性に秀れることとなる。
【００７１】
更に、この取付体６の嵌着孔６ａ内に気泡管式測定器２を嵌着した際に、この気泡管式測定器２の挿入用中空部４の挿入口部４ａが対向する前記嵌着孔６ａの内面によって閉塞されるように構成したので、挿入用中空部４内に挿入配設した挿入体３をこの挿入用中空部４から抜け出ることを阻止する為に何らかの構成を設ける必要がなく、単に挿入用中空部４内に挿入体３を挿入した気泡管式測定器２を取付体６に嵌着することで挿入用中空部４内に挿入体３が閉塞状態に配設されることとなり、一層生産が容易である。
【００７２】
よって、本実施例は、蓄光材３ａの発光により暗い場所でも良好に測定を行うことができることは勿論、従来においては手作業などの厄介な作業を要しコストアップや量産性を損ねるなどの問題があった蓄光材３ａを備えた水準器を、気泡管式測定器２の挿入用中空部４に挿入対３を挿入しこの気泡管式測定器２を取付体６に嵌着しこの取付体６を器体１に挿入するという簡単な組み込み作業だけで簡易に製造可能な極めて量産性に秀れた構成を達成し、機能性だけでなく量産性にも極めて秀れる画期的で商品価値の高い水準器となる。
【００７３】
尚、本発明は、本実施例に限られるものではなく、各構成要件の具体的構成は適宜設計し得るものである。
【図面の簡単な説明】
【００７４】
【図１】本実施例に係る水準器の説明斜視図である。
【図２】本実施例に係る水準器の気泡管式測定器２の説明側面断面図である。
【図３】本実施例に係る水準器の説明分解斜視図である。
【図４】本実施例に係る水準器の説明分解斜視図である。
【図５】本実施例に係る水準器の側面断面図である。
【図６】本実施例に係る水準器の説明正面図である。
【符号の説明】
【００７５】
１  器体
１ａ  基準面
２  気泡管式測定器
２ａ  気泡管測定部
３  挿入体
３ａ  蓄光材
４  挿入用中空部
４ａ  挿入口部
５  測定面
６  取付体
６ａ  嵌着凹部，嵌着孔
【図１】
2006337115.tif 000003
【図２】
2006337115.tif 000004
【図３】
2006337115.tif 000005
【図４】
2006337115.tif 000006
【図５】
2006337115.tif 000007
【図６】
2006337115.tif 000008